(57)【要約】【課題】故障現場へ行く前に情報端末の故障状態を把握できる、情報端末試験装置及び情報端末試験システムを提供する。【解決手段】本発明を適用した情報端末試験システムは、加入者情報端末１と、通信網５を介して加入者情報端末に接続した情報端末試験装置７から構成されている。情報端末試験装置７は、ダイヤル信号を発信するよう構成されたダイヤル信号発信手段２と、ダイヤル信号を受信するよう構成されたダイヤル信号受信手段３と、送話信号を発信すると共に受話信号を受信するよう構成された送受話手段４と、受信したダイヤル信号を解析するよう構成されたダイヤル信号解析手段８と、解析されたダイヤル信号を表示するよう構成された表示手段９とを備える。【選択図】図１
2007110260.tif 000002
【特許請求の範囲】
【請求項１】
ダイヤル信号を発信するダイヤル信号発信手段を備える情報端末の試験を行なう情報端末試験装置であって、
前記情報端末から通信網を介してダイヤル信号を受信するダイヤル信号受信手段と、
受信したダイヤル信号を解析するダイヤル信号解析手段と、
解析されたダイヤル信号を表示する表示手段とを備える
情報端末試験装置。
【請求項２】
ダイヤル信号を発信するダイヤル信号発信手段を備える情報端末の試験を行なう情報端末試験装置であって、
前記情報端末から通信網を介してダイヤル信号を受信するダイヤル信号受信手段と、
受信したダイヤル信号を解析するダイヤル信号解析手段と、
解析されたダイヤル信号を表示手段に出力する解析結果出力手段とを備える
情報端末試験装置。
【請求項３】
ダイヤル信号を発信するダイヤル信号発信手段と、
送話信号を発信すると共に受話信号を受信する送受話手段とを備える
請求項１または請求項２に記載の情報端末試験装置。
【請求項４】
情報端末と、該情報端末の試験を行なう情報端末試験装置とを有する情報端末試験システムであって、
前記情報端末は、ダイヤル信号を発信するダイヤル信号発信手段を備え、
前記情報端末試験装置は、前記情報端末から通信網を介してダイヤル信号を受信するダイヤル信号受信手段と、
受信したダイヤル信号を解析するダイヤル信号解析手段と、
解析されたダイヤル信号を表示するダイヤル信号表示手段とを備える
情報端末試験システム。
【請求項５】
前記情報端末試験装置は、ダイヤル信号を発信するダイヤル信号発信手段と、
送話信号を発信すると共に受話信号を受信する送受話手段とを備える
請求項４に記載の情報端末試験システム。
【請求項６】
ダイヤル信号を発信するダイヤル信号発信手段を備える情報端末の試験を行なう情報端末試験装置を有する情報端末試験システムであって、
前記情報端末試験装置は、前記情報端末から通信網を介してダイヤル信号を受信するダイヤル信号受信手段と、
受信したダイヤル信号を解析するダイヤル信号解析手段と、
解析されたダイヤル信号を表示するダイヤル信号表示手段とを備える
情報端末試験システム。
【請求項７】
前記情報端末試験装置は、ダイヤル信号を発信するダイヤル信号発信手段と、
送話信号を発信すると共に受話信号を受信する送受話手段とを備える
請求項６に記載の情報端末試験システム。
【発明の詳細な説明】
【技術分野】
【０００１】
本発明は情報端末試験装置及び情報端末試験システムに関する。詳しくは、情報端末の故障状態を事前に把握できる、情報端末試験装置及び情報端末試験システムに係るものである。
【背景技術】
【０００２】
従来、電話が繋がらなかったり、何度同じ電話番号にかけても希望する相手とは違う相手に繋がってしまったりといった故障の相談を受けた電話事業者（以下、「事業者」とする。）は、例えば特許文献１に記載されているように、携帯可能に構成した測定部と、ＰＢトーンジェネレータ部と、ＰＢトーンデコーダ部と、ダイヤルパルスレシオ測定部と、ダイヤルパルス計数部と、安定化電源部と、これら各部を切り替える切り替えスイッチ部とを備える携帯型加入者回線試験機を携えた担当者を、電柱上や屋内といった故障現場に派遣して、故障状態を把握していた。
【０００３】
【特許文献１】特開平３−１５４５５４号公報
【発明の開示】
【発明が解決しようとする課題】
【０００４】
しかしながら、従来の試験機では、現場に行って故障状態を把握していたので、故障現場に行くまで故障状態が判らず、担当者は不必要な修理部品等を携えて故障現場へ行かなければならないという不都合があった。
【０００５】
本発明は、以上の点に鑑みて創案されたものであり、故障現場へ行く前に情報端末の故障状態を把握できる、情報端末試験装置及び情報端末試験システムを提供することを目的とする。
【課題を解決するための手段】
【０００６】
上記の目的を達成するために、本発明の情報端末試験装置は、ダイヤル信号を発信するダイヤル信号発信手段を備える情報端末の試験を行なう情報端末試験装置であって、前記情報端末から通信網を介してダイヤル信号を受信するダイヤル信号受信手段と、受信したダイヤル信号を解析するダイヤル信号解析手段と、解析されたダイヤル信号を表示する表示手段とを備える。
【０００７】
ここで、情報端末から通信網を介してダイヤル信号を受信するダイヤル信号受信手段によって、情報端末が存在する現場まで行かなくても情報端末のダイヤル信号を入手できる。また、受信したダイヤル信号を解析するダイヤル信号解析手段によって、情報端末のダイヤル信号発信機能に異常が無いかを検査できる。また、解析されたダイヤル信号を表示する表示手段によって、情報端末のダイヤル信号発信機能に異常があるかどうかを判断できる。なお、ここでいう「ダイヤル信号」には、回転ダイヤル信号とプッシュボタンダイヤル信号の２種類が含まれる。
【０００８】
また、上記の目的を達成するために、本発明の情報端末試験装置は、ダイヤル信号を発信するダイヤル信号発信手段を備える情報端末の試験を行なう情報端末試験装置であって、前記情報端末から通信網を介してダイヤル信号を受信するダイヤル信号受信手段と、受信したダイヤル信号を解析するダイヤル信号解析手段と、解析されたダイヤル信号を表示手段に出力する解析結果出力手段とを備える。
【０００９】
ここで、情報端末から通信網を介してダイヤル信号を受信するダイヤル信号受信手段によって、情報端末が存在する現場まで行かなくても情報端末のダイヤル信号を入手できる。また、受信したダイヤル信号を解析するダイヤル信号解析手段によって、情報端末のダイヤル信号発信機能に異常が無いかを検査できる。また、解析されたダイヤル信号を表示手段に出力する解析結果出力手段によって、情報端末のダイヤル信号発信機能に異常があるかどうかを判断できる。
【００１０】
また、本発明の情報端末試験装置において、ダイヤル信号を発信するダイヤル信号発信手段と、送話信号を発信すると共に受話信号を受信する送受話手段とを備える場合、通信網を介して情報端末との接続を確保するための機器（例えば電話機等）を別途用いずに、試験を行なうことができる。即ち、情報端末試験装置が情報端末から通信網を介してダイヤル信号を受信するには、通信網を介して情報端末試験装置と情報端末が接続される必要があるが、情報端末試験装置がダイヤル信号発信手段と、送受話手段とを備える場合には、こうした接続を確保するための機器が不要となる。
【００１１】
また、上記の目的を達成するために、本発明の情報端末試験システムは、情報端末と、該情報端末の試験を行なう情報端末試験装置とを有する情報端末試験システムであって、前記情報端末は、ダイヤル信号を発信するダイヤル信号発信手段を備え、前記情報端末試験装置は、前記情報端末から通信網を介してダイヤル信号を受信するダイヤル信号受信手段と、受信したダイヤル信号を解析するダイヤル信号解析手段と、解析されたダイヤル信号を表示するダイヤル信号表示手段とを備える。
【００１２】
ここで、情報端末から通信網を介してダイヤル信号を受信するダイヤル信号受信手段によって、情報端末が存在する現場まで行かなくても情報端末のダイヤル信号を入手できる。また、受信したダイヤル信号を解析するダイヤル信号解析手段によって、情報端末のダイヤル信号発信機能に異常が無いかを検査できる。また、解析されたダイヤル信号を表示する表示手段によって、情報端末のダイヤル信号発信機能に異常があるかどうかを判断できる。
【００１３】
また、上記の目的を達成するために、本発明の情報端末試験システムは、ダイヤル信号を発信するダイヤル信号発信手段を備える情報端末の試験を行なう情報端末試験装置を有する情報端末試験システムであって、前記情報端末試験装置は、前記情報端末から通信網を介してダイヤル信号を受信するダイヤル信号受信手段と、受信したダイヤル信号を解析するダイヤル信号解析手段と、解析されたダイヤル信号を表示するダイヤル信号表示手段とを備える。
【００１４】
ここで、情報端末から通信網を介してダイヤル信号を受信するダイヤル信号受信手段によって、情報端末が存在する現場まで行かなくても情報端末のダイヤル信号を入手できる。また、受信したダイヤル信号を解析するダイヤル信号解析手段によって、情報端末のダイヤル信号発信機能に異常が無いかを検査できる。また、解析されたダイヤル信号を表示する表示手段によって、情報端末のダイヤル信号発信機能に異常があるかどうかを判断できる。
【発明の効果】
【００１５】
本発明に係る情報端末試験装置によって、故障現場へ行く前に情報端末の故障状態を把握できる。
また、本発明に係る情報端末試験システムによって、故障現場へ行く前に情報端末の故障状態を把握できる。
【発明を実施するための最良の形態】
【００１６】
以下、本発明の実施の形態について図面を参照しながら説明し、本発明の理解に供する。図１は、本発明を適用した情報端末試験装置を用いた、本発明を適用した情報端末試験システムの概略ブロック図である。図１において、本発明を適用した情報端末試験システムは、加入者情報端末１と、通信網５を介して加入者情報端末に接続した情報端末試験装置７から構成されている。
【００１７】
ここで、加入者情報端末１は、ダイヤル信号を発信するよう構成されたダイヤル信号発信手段２と、ダイヤル信号を受信するよう構成されたダイヤル信号受信手段３と、送話信号を発信すると共に受話信号を受信するよう構成された送受話手段４とを備える。
【００１８】
また、情報端末試験装置７は、ダイヤル信号を発信するよう構成されたダイヤル信号発信手段２と、ダイヤル信号を受信するよう構成されたダイヤル信号受信手段３と、送話信号を発信すると共に受話信号を受信するよう構成された送受話手段４と、受信したダイヤル信号を解析するよう構成されたダイヤル信号解析手段８と、解析されたダイヤル信号を表示するよう構成された表示手段９とを備える。
【００１９】
また、情報端末試験装置が、情報端末から通信網を介してダイヤル信号を受信するダイヤル信号受信手段と、受信したダイヤル信号を解析するダイヤル信号解析手段と、解析されたダイヤル信号を表示する表示手段とを備えていれば、必ずしもダイヤル信号発信手段や送受話手段を備えていなくてもよい。情報端末試験装置がダイヤル信号発信手段や送受話手段を備えていない場合には、試験を行なう際に電話機等のようなダイヤル信号発信手段や送受話手段を備えた端末を情報端末試験装置に接続する。
また、通信網を介してダイヤル信号を受信できるのであれば、情報端末試験装置は通信網に有線で接続されていても、無線で接続されていてもよい。
また、情報端末試験装置が、情報端末から通信網を介してダイヤル信号を受信するダイヤル信号受信手段と、受信したダイヤル信号を解析するダイヤル信号解析手段とを備えていれば、必ずしも解析されたダイヤル信号を表示する表示手段を備えていなくてもよく、例えば別体として表示手段を存在させて、この表示手段に、解析されたダイヤル信号を出力して表示させてもよい。
【００２０】
次に、試験方法について述べる。なお、以下では、発信に不具合はあるものの、受信については正常である情報端末（電話機）の試験方法を例に挙げて説明を行なう。受信についても不具合がある場合には、情報端末試験装置との接続ができないこととなり、本発明を適用した情報端末試験装置では対応できないからである。
図２は、本発明を適用した情報端末試験装置を用いて情報端末の試験を行なう手順を示す概略フロー図である。
何度同じ電話番号にかけても希望する相手とは違う相手に繋がってしまい、故障ではないかと思った電話加入者（以下、「加入者」とする。）から故障の相談を事業者が受けると、事業者は、加入者の電話番号を聞き（ステップＳ１）、ダイヤル信号発信手段や送受話手段を備えた情報端末試験装置から、加入者の電話番号へ電話をかける（ダイヤル信号を発信する）（ステップＳ２）。次に、接続を確認した後、加入者情報端末から０〜９のダイヤル信号（プッシュボタン信号）を発信してもらい、ダイヤル信号を情報端末試験装置が受信する（ステップＳ３）。そして、受信したダイヤル信号をダイヤル信号解析手段によって解析し（ステップＳ４）、解析されたダイヤル信号を表示手段によって表示する（ステップＳ５）。ステップＳ２からステップＳ５までは送受話手段にて加入者の情報端末と情報端末試験装置との間で通話状態を保ち、加入者が発信したダイヤル信号の番号を聞いて、その番号が表示手段にて表示されていれば、その番号のダイヤル信号は正常であると判断され、表示されなければ異常であると判断される。
【００２１】
図３は、本発明を適用した情報端末試験装置を用いて様々な情報端末の試験を行なう様子を示す概略ブロック図である。本発明を適用した情報端末試験装置は、通信網を介してダイヤル信号を受信するので、アナログ電話機１０、携帯電話機１１、ＩＳＤＮ（サービス総合デジタル網）電話機１２そして光電話機１３それぞれから通信網５を介してダイヤル信号を受信し、受信したダイヤル信号を解析して、解析されたダイヤル信号を表示することで、電話方式の種類を問わず電話機の故障状態を把握できる。
【００２２】
このように本発明を適用した情報端末試験装置は、情報端末から通信網を介してダイヤル信号を受信するダイヤル信号受信手段と、受信したダイヤル信号を解析するダイヤル信号解析手段と、解析されたダイヤル信号を表示する表示手段とを備えているので、情報端末が存在する現場まで行かなくても情報端末のダイヤル信号を入手でき、また、情報端末のダイヤル信号発信機能に異常が無いかを検査でき、そして、情報端末のダイヤル信号発信機能に異常があるかどうかを判断でき、よって、故障した情報端末が存在する故障現場へ行く前に、情報端末を試験して故障状態を把握できる。また、故障現場へ行く前に、情報端末の故障状態を把握できるので、いち早く故障に対応できると共に、故障現場へ行く手間を必要最小限に抑えることができる。
【００２３】
また、本発明を適用した情報端末試験装置は、通信網を介してダイヤル信号を受信するので、ダイヤル信号を発信する機能を有する、アナログ電話機、携帯電話機、ＩＳＤＮ電話機及び光電話機についても、これらが存在する現場へ行かずにこれら情報端末の試験を行うことができる。即ち、電話網の種類を問わずに情報端末（電話機）の試験を行なうことができるので、今後、電話網の種類が増大したとしても充分に対応することが可能である。
【図面の簡単な説明】
【００２４】
【図１】本発明を適用した情報端末試験装置を用いた、本発明を適用した情報端末試験システムの概略ブロック図である。
【図２】本発明を適用した情報端末試験装置を用いて情報端末の試験を行なう手順を示す概略フロー図である。
【図３】本発明を適用した情報端末試験装置を用いて様々な情報端末の試験を行なう様子を示す概略ブロック図である。
【符号の説明】
【００２５】
１    加入者情報端末
２    ダイヤル信号発信手段
３    ダイヤル信号受信手段
４    送受話手段
５    通信網
７    情報端末試験装置
８    ダイヤル信号解析手段
９    表示手段
１０    アナログ電話機
１１    携帯電話機
１２    ＩＳＤＮ電話機
１３    光電話機
【図１】
2007110260.tif 000003
【図２】
2007110260.tif 000004
【図３】
2007110260.tif 000005